(57)【要約】【課題】  被処理水の水質の悪化、紫外線照射装置の性能低下が生じても、所定の処理水水質の処理水を供給すること。【解決手段】  循環タンク３と、酸化剤供給装置９および紫外線照射装置１０を含む酸化手段１と、ポンプ４とを含む循環路５を形成する水処理装置において、循環タンク３への給水工程と、給水工程後に行われ、酸化手段３およびポンプ４を作動させて被処理水を循環路５にて循環処理する循環処理工程と、循環処理工程後に循環タンク３内の処理水を処理水タンク８へ送水する送水工程とを繰り返して行う制御手段１８と、制御手段１８は、循環路５内の処理水の有機物濃度を検出するセンサ１７による検出有機物濃度が設定値以下となると循環処理工程から送水工程へ移行させる。【選択図】図１
2011121026.tif 000002
【特許請求の範囲】
【請求項１】
循環タンクと、酸化剤供給装置および紫外線照射装置を含む酸化手段と、ポンプとを含む循環路を形成して有機物含有の被処理水を循環処理する水処理装置であって、
前記循環タンクへ所定量の被処理水を貯留する給水工程と、この給水工程後に行われる工程であって前記酸化手段および前記ポンプを作動させて被処理水を前記循環路にて循環させて酸化処理する循環処理工程と、この循環処理工程後に前記循環タンク内の処理水を処理水タンクへ送水する送水工程とを繰り返して行う制御手段と、
前記循環路内の処理水の有機物濃度を検出するセンサとを備え、
前記制御手段は、前記センサにより検出される有機物濃度が設定値以下となると前記循環処理工程から前記送水工程へ移行させることを特徴とする水処理装置。
【請求項２】
前記紫外線照射装置は、紫外線ランプからなり、前記給水工程，前記循環処理工程および前記送水工程中、連続的に運転されることを特徴とする請求項１に記載の水処理装置。
【請求項３】
前記循環路の前記酸化手段および前記ポンプを含む部分が前記循環タンクから前記処理水タンクへの送水路の一部をなすように構成され、
前記送水工程時、前記ポンプの作動により前記循環タンク内の処理水が前記酸化手段による酸化作用を受けながら前記処理水タンクへ送水されることを特徴とするは請求項２に記載の水処理装置。
【請求項４】
前記酸化手段は、被処理水を前記循環タンクへ供給する被処理水供給路に配置され、
前記循環路は、前記被処理水供給路の一部を含むことにより前記酸化手段を含むように構成され、
前記給水工程時、被処理水が前記酸化手段による酸化作用を受けながら前記循環タンクへ送水されることを特徴とする請求項２に記載の水処理装置。
【発明の詳細な説明】
【技術分野】
【０００１】
本発明は、有機物含有の被処理水を処理する水処理装置に関するものである。
【背景技術】
【０００２】
従来、被処理水に酸化剤を供給する酸化剤供給装置と、被処理水に紫外線を照射する紫外線酸化装置と、循環タンクとを含む循環路を形成して被処理水中の有機物を光酸化により循環処理する水処理装置は、特許文献１などにて知られている。
【０００３】
この従来の水処理装置では、被処理水の水質が悪化したり、紫外線照射装置の性能が低下すると、所定の処理水水質を得ることができない。
【先行技術文献】
【特許文献】
【０００４】
【特許文献１】特開２００３−３４０４７２号公報
【発明の概要】
【発明が解決しようとする課題】
【０００５】
この発明が解決しようとする課題は、被処理水の水質が悪化したり、紫外線照射装置の性能が低下しても、所定の処理水水質の処理水を供給することである。
【課題を解決するための手段】
【０００６】
本発明は、前記課題を解決するためになされたもので、請求項１に記載の発明は、循環タンクと、酸化剤供給装置および紫外線照射装置を含む酸化手段と、ポンプとを含む循環路を形成して有機物含有の被処理水を循環処理する水処理装置であって、前記循環タンクへ所定量の被処理水を貯留する給水工程と、この給水工程後に行われる工程であって前記酸化手段および前記ポンプを作動させて被処理水を前記循環路にて循環させて酸化処理する循環処理工程と、この循環処理工程後に前記循環タンク内の処理水を処理水タンクへ送水する送水工程とを繰り返して行う制御手段と、前記循環路内の処理水の有機物濃度を検出するセンサとを備え、前記制御手段は、前記センサにより検出される有機物濃度が設定値以下となると前記循環処理工程から前記送水工程へ移行させることを特徴としている。
【０００７】
請求項１に記載の発明によれば、前記循環路内の処理水の有機物濃度が設定値以下となってから前記送水工程に移行するので、被処理水の水質が悪化したり、前記紫外線照射装置の性能が低下しても所定の水質の処理水を供給することができる。
【０００８】
請求項２に記載の発明は、請求項１において、前記紫外線照射装置は、紫外線ランプからなり、前記給水工程，前記循環処理工程および前記送水工程中、連続的に運転されることを特徴としている。
【０００９】
請求項２に記載の発明によれば、請求項１に記載の発明による効果に加えて、紫外線ランプを短時間でＯＮ−ＯＦＦしないので、紫外線ランプの寿命を長くすることができるという効果を奏する。
【００１０】
請求項３に記載の発明は、請求項２において、前記循環路の前記酸化手段および前記ポンプを含む部分が前記循環タンクから前記処理水タンクへの送水路の一部をなすように構成され、前記送水工程時、前記ポンプの作動により前記循環タンク内の処理水が前記酸化手段による酸化作用を受けながら前記処理水タンクへ送水されることを特徴としている。
【００１１】
請求項３に記載の発明によれば、請求項２に記載の発明による効果に加えて、送水工程時、前記処理水タンクへ送水される処理水が更に前記紫外線照射装置により酸化処理されるので、処理水水質をさらに高めることができるという効果を奏する。
【００１２】
さらに、請求項４に記載の発明は、請求項２において、前記酸化手段は、被処理水を前記循環タンクへ供給する被処理水供給路に配置され、前記循環路は、前記被処理水供給路の一部を含むことにより前記酸化手段を含むように構成され、前記給水工程時、被処理水が前記酸化手段による酸化作用を受けながら前記循環タンクへ送水されることを特徴としている。
【００１３】
請求項４に記載の発明によれば、請求項２に記載の発明による効果に加えて、前記給水工程時、被処理水を酸化処理できるので、被処理水を短時間で所定の処理水水質とすることができるという効果を奏する。
【発明の効果】
【００１４】
この発明によれば、被処理水の水質が悪化したり、紫外線照射装置の性能が低下しても、所定の処理水水質の処理水を供給することができる。
【図面の簡単な説明】
【００１５】
【図１】本発明の実施例１の概略構成を説明する図である。
【図２】同実施例１の制御手順の要部を説明するフローチャート図である。
【図３】同実施例１の給水工程を説明する図である。
【図４】同実施例１の循環処理工程を説明する図である。
【図５】同実施例１の送水工程を説明する図である。
【図６】本発明の実施例２の概略構成を説明する図である。
【図７】同実施例２の給水工程を説明する図である。
【図８】同実施例２の循環処理工程を説明する図である。
【図９】同実施例２の送水工程を説明する図である。
【発明を実施するための形態】
【００１６】
つぎに、この発明の水処理装置の実施の形態について説明する。この発明の実施の形態は、有機物含有の被処理水を処理する水処理装置に好適に実施される。
【００１７】
この実施の形態を具体的に説明する。この実施の形態の水処理装置は、循環タンクと酸化手段とポンプとを含む循環路を形成して、有機物（有機汚染物質と称することができる。）含有の被処理水を循環処理するものである。前記酸化手段は、被処理水中に酸化剤を供給（添加と称することができる。）する酸化剤供給装置と被処理水に対して紫外線を照射する紫外線照射装置とを含んでいる。
【００１８】
そして、前記循環タンクへ所定量の被処理水を貯留する給水工程と、この給水工程後に行われる工程であって前記酸化手段および前記ポンプを作動させて被処理水を前記循環路にて循環させて酸化処理する循環処理工程と、この循環処理工程後に前記循環タンク内の処理水を処理水タンクへ送水する送水工程とを繰り返して行う制御手段を備えている。
【００１９】
前記循環処理工程は、好ましくは、前記給水工程の途中，すなわち循環タンクにある程度の量の被処理水が貯留されると、開始するように構成する。これにより、前記給水工程の途中で前記循環処理工程を開始しないものと比較して、より短時間で被処理水の水質を設定値まで下げることができる。
【００２０】
さらに、この実施の形態は、前記循環路内の処理水の有機物濃度を検出する有機物濃度センサとを備え、前記制御手段は、前記有機物濃度センサによる検出有機物濃度が設定値以下となると前記循環処理工程から前記送水工程へ移行させるように構成される。
【００２１】
この実施の形態の水処理装置においては、前記制御手段は、前記給水工程，前記循環処理工程および前記送水工程をこの順で繰り返し行う。そして、前記循環処理工程において、前記循環タンク内の被処理水に含まれる有機物は、前記酸化手段により所謂光酸化（または促進酸化）と称される酸化により、酸化され、分解される。光酸化のメカニズムは、公知であるので、ここではその説明を省略する。
【００２２】
光酸化により、被処理水中の有機物の分解が進行し、前記有機物濃度センサにより検出される有機物濃度が設定値以下となると、前記制御手段は、前記循環処理工程を終了して、前記送水工程へ移行する。そして、前記循環タンクに貯留された処理水は、前記処理水タンクへ送水されるが、その処理水の水質は、所定の値が保持されることになる。
【００２３】
この実施の形態においては、好ましくは、前記紫外線照射装置は、紫外線ランプから構成され、繰り返し行われる一連の工程中，すなわち前記給水工程，前記循環処理工程および前記送水工程中、連続的に運転される（ＯＮを続ける）ように構成される。
【００２４】
このように前記紫外線ランプを連続運転することにより、短時間でＯＮ−ＯＦＦすると寿命を縮める紫外線ランプの寿命を長くすることができる。
【００２５】
こうした紫外線ランプを連続運転する実施の形態において、前記酸化手段の配置位置は、特定のものに限定されないが、好ましくは、つぎの二つの形態とする。
【００２６】
第一の形態においては、前記循環路の前記酸化手段および前記ポンプを含む部分が前記循環タンクから前記処理水タンクへの送水路の一部をなすように構成される。前記酸化手段および前記ポンプの順序は、前記酸化手段が前記ポンプの下流側となるように配置する。そして、前記送水工程時、前記ポンプの駆動により、前記循環タンク内の処理水が前記酸化手段による酸化作用を受けながら前記処理水タンクへ送水される。前記酸化手段を構成する酸化剤供給手段は、前記循環路を循環する被処理水中の有機物濃度が設定値以下とるように制御（ＯＮ−ＯＦ制御または比例制御）される。「路」は、ラインと称することができる。
【００２７】
この第一の形態によれば、前記送水工程時、前記処理水タンクへ送水される処理水が更に前記酸化手段による光酸化処理を受けるので、前記循環処理工程終了時の水質より高い水質の処理水を前記処理水タンクへ供給することができる。
【００２８】
第二の形態においては、前記酸化手段は、被処理水を前記循環タンクへ供給する被処理水供給路に配置されるとともに、前記循環路は、前記被処理水供給路の一部を含むことにより前記酸化手段を含むように形成される。そして、前記給水工程時、被処理水が前記酸化手段による酸化作用を受けながら前記循環タンクへ供給される。
【００２９】
この第二の形態によれば、前記給水工程時、前記循環タンクへ送水される被処理水が前記酸化手段により酸化処理されるので、前記給水工程時に酸化処理されない装置と比較して被処理水を短時間で所定の処理水水質とすることができる。
【００３０】
ここで、この発明の実施の形態の水処理装置を構成する構成要素を説明する。前記循環タンクへ供給される被処理水は、好ましくは、種々の装置で使用された廃水（例えば、汚泥処理後に得らる排水）とするが、廃水でなくても高濃度に有機物を含有する原水であっ
てもよい。
【００３１】
前記酸化手段の酸化剤供給装置と紫外線照射装置とは、好ましくは、近接して配置し一つの酸化装置として構成するが、離れた位置に配置してもよい。また、酸化剤供給手段および紫外線照射装置の好ましい順序は、被処理水の流れ方向に沿って酸化剤供給手段，紫外線照射手段の順である。
【００３２】
前記酸化剤供給装置は、次亜塩素酸（ＮａＯＣＬ），過酸化水素（Ｈ2Ｏ2），オゾンなどの酸化剤を被処理水へ添加して、被処理水中の有機物を酸化処理してＣＯＤ（chemical
oxigen demand；化学的酸素要求量）値またはＴＯＣ（Total Organic Carbon；全有機炭素）値を低減させるものである。
【００３３】
また、前記紫外線照射装置は、紫外線、すなわち比較的短波長（１００〜４００ｎｍ）領域の電磁波を被処理水へ照射するものであり、紫外線照射用の光源として、好ましくは、低圧水銀ランプを用いる。
【００３４】
前記循環タンクは、特定の構造のタンクに限定されないものであり、被処理水の貯留量を検出する水位センサを備える。
【００３５】
前記循環ポンプも特定の構造のものに限定されないものであり、前記循環路を循環する単位時間当たりの被処理水量に応じた容量のものが選定される。
【００３６】
前記有機物濃度センサは、被処理水の有機物濃度を検出するセンサで、紫外線の透過度を検出して、ＣＯＤ換算値として出力できるものなどが利用可能である。この有機物濃度センサは、前記循環路および前記循環路に含まれる循環タンクなどの構成要素に備えることができるが、好ましくは、循環タンクに設ける。
【００３７】
前記制御手段は、予め記憶した制御手順に基づき、前記給水工程，前記循環処理工程および前記送水工程などを制御する。具体的には、前記制御手段は、前記有機物濃度センサ，水位センサなどからの信号を入力して、前記循環ポンプや各種バルブ類を制御する。前記制御手順には、前記有機物濃度センサによる有機物濃度が設定値以下となると前記循環処理工程から前記送水工程へ移行させる手順を含んでいる。
【実施例１】
【００３８】
以下、この発明の水処理装置の実施例１を図面に基づいて詳細に説明する。図１は、同実施例１の概略構成を説明する図であり、図２は、同実施例１の制御手順の要部を説明するフローチャート図であり、図３は、同実施例１の給水工程を説明する図であり、図４は、同実施例１の循環処理工程を説明する図であり、図５は、同実施例１の送水工程を説明する図である。
【００３９】
実施例１の水処理装置は、酸化手段１と、電動弁よりなる第一弁２と、循環タンク３と、ポンプ４とを含む循環路５を形成して、被処理水中の有機物を循環処理するように構成している。そして、循環路５の第一弁２上流側から送水路７を分岐している。この送水路７は、処理水を処理水タンク８へ供給するためのもので、電動弁よりなる第二弁６を有している。
【００４０】
酸化手段１は、一端がポンプ４の下流側（吐出側）に接続されるとともに、他端が送水路７の分岐部，すなわち第一弁２と第二弁６との間に接続される。こうして、ポンプ４，酸化手段１を含む循環路５の一部は、送水路７の一部を構成，すなわち兼用している。
【００４１】
また、酸化手段１は、被処理水中に酸化剤を供給する酸化剤供給装置９と被処理水に対して紫外線を照射する紫外線照射装置１０とを含んで構成され、被処理水の流れ方向に沿って酸化剤供給装置９→紫外線照射装置１０に設けている。
【００４２】
酸化剤供給装置９は、この実施例１では、次亜塩素酸を注入する装置であり、その注入量を制御可能な構成としている。前記注入量の制御は、後記有機物濃度センサ１７で被処理水中の有機物濃度を計測し、有機物濃度を設定値以下とする制御である。また、紫外線照射装置１０は、低圧水銀ランプよりなる紫外線ランプを光源として用いた公知の構成のものを使用している。
【００４３】
そして、前記循環タンク３へ被処理水タンク（原水タンクと称することができる。）１１から被処理水を重力差またはポンプ（図示省略）により供給する被処理水供給路１２が接続されている。この被処理水供給路１１には、電動弁よりなる第三弁１３を備えている。符号１４は、被処理水が被処理水タンク１１へ流入する被処理水流入路である。
【００４４】
処理水タンク８には、処理水利用設備（図示省略）からの要求に応じて処理水利用設備へ処理水を供給する処理水供給路１５を備えている。この処理水供給路１５には前記要求に応じて作動されるポンプ（図示省略）を備えている。
【００４５】
また、循環タンク３には、水位センサ１６を備えている。この水位センサ１６は、異常低水位ＬＬと、水位制御範囲の下限水位Ｌ（＞ＬＬ）と、水位制御範囲の上限水位Ｈ（＞Ｌ）と、異常高水位ＨＨ（＞Ｈ）とを検出可能に構成されている。
【００４６】
循環路５の酸化手段１の下流側に被処理水の有機物濃度を検出する有機物濃度センサ１７を備えている。この有機物濃度センサ１７は、試料水に光をあて可視光線と紫外線の吸光度を測定して、ＣＯＤ換算値で出力する公知のセンサを用いている。
【００４７】
前記ポンプ４，第一弁２，第二弁６，第三弁１３は、前記水位センサ１６および前記有機物濃度センサ１７などからの信号を入力する制御器１８により予め記憶した制御手順に基づき制御される。
【００４８】
前記制御手順には、循環タンク３へ所定量の被処理水を貯留する給水工程と、この給水工程後に行われ酸化手段３およびポンプ４を作動させて被処理水を循環路５にて循環させて酸化処理する循環処理工程と、この循環処理工程後に行われ循環タンク３内の処理水を処理水タンク８へ送水する送水工程とをこの順に繰り返して行う手順が含まれている。そして、この処理手順には、前記給水工程，前記循環処理工程および前記送水工程中、紫外線照射手段１０を連続的に運転させる手順と、有機物濃度センサ１７による検出有機物濃度が設定値以下となると前記循環処理工程から前記送水工程へ移行させる手順とを含んでいる。前記設定値は、処理水使用設備の要求に応じて設定され、例えば、ＣＯＤ：30mg/Lとする。この処理手順の一例を図２示す。
【００４９】
つぎに、この実施例１の水処理装置の動作を図面に基づき説明する。図３〜図５において、黒く塗りつぶしている弁は閉じ、黒く塗りつぶしていない弁は開いていることを表している。図２を参照して、実施例１の水処理装置を運転させるべく、運転スイッチ（図示省略）をＯＮすると、処理ステップＳ１（以下、処理ステップＳＮは、単にＳＮという。）においてＯＮが判定され、Ｓ２へ移行する。Ｓ２では、紫外線照射装置１０を作動（ＯＮ）し、所定時間経過後につぎの給水工程へ移行する。このように、給水工程開始前に紫外線照射装置１０を作動させるのは、紫外線ランプが安定するまでに時間がかかるからである。
【００５０】
（給水工程）
この給水工程Ｓ３では、まず、図３のように、制御器１８は、第一弁２および第三弁１３を開き、第二弁６を閉じる。初期状態では、循環タンク３の水位は、ＬＬ以下であり、被処理水タンク１１内の被処理水が被処理水供給路１２を通して循環タンク３へ供給される。
【００５１】
循環タンク３内の水位がＬ以上となると、ポンプ４を駆動するとともに、酸化剤供給装置９を作動（ＯＮ）する。これにより、後記の循環処理工程Ｓ５と同様な循環処理が開始される。ここでは循環処理の説明を省略する。
【００５２】
循環タンク３内の水位がＨ以上となる，すなわち所定量の被処理水の貯留が判定されると、Ｓ４にてＹＥＳが判定され、給水工程Ｓ３を終了する。そして、図４に示すＳ５の循環処理工程へ移行する。
【００５３】
(循環処理工程）
この循環処理工程Ｓ５では、制御器１８は、第一弁２を開き、第二弁６および第三弁１３を閉じる。ポンプ４および酸化手段１の作動は、給水工程Ｓ２から継続される。酸化剤供給装置９は、有機物濃度センサ１７により計測される被処理水中の有機物濃度が設定値以下となるように制御される。    
【００５４】
これにより、循環タンク３内に貯留された被処理水は、循環路５を循環しながら、含まれている有機物が酸化手段３による光酸化により、酸化され、分解される。その結果、被処理水中の有機物濃度が低下する。この濃度低下は、有機物濃度センサ１７により検出され、検出値が設定値以下となると、Ｓ６でＹＥＳが判定され、循環処理工程Ｓ５を終了する。そして、図５に示す送水工程へ移行する。
【００５５】
（送水工程）
この送水工程Ｓ７では、制御器１８は、第二弁６を開き、第一弁２および第三弁１３を閉じるとともに、ポンプ４を作動させ、酸化手段１の紫外線照射装置１０作動を継続し、酸化剤供給装置９の作動を停止する。    
【００５６】
これにより、循環タンク３に貯留された有機物濃度が設定値以下となった被処理水，すなわち処理水は、酸化手段１を含む循環路５の一部と送水路７を通して処理水タンク８へ供給される。この送水工程Ｓ６時、循環タンク３内の処理水が酸化手段３による光酸化作用を受けながら処理水タンク８へ送水される。その結果、処理水タンク８の処理水は、前記設定値よりも有機物濃度が低い水質の高い処理水となっている。
【００５７】
循環タンク３の水位がＬ以下となると、Ｓ８でＹＥＳが判定され、送水工程Ｓ７を終了して、Ｓ９へ移行する。Ｓ９で前記運転スイッチのＯＦＦが判定されない限り、前述の給水工程Ｓ３，循環処理工程Ｓ５および送水工程Ｓ７が繰り返される。
【００５８】
Ｓ９で、前記運転スイッチのＯＦＦが判定されると、Ｓ１０へ移行して、停止処理Ｓ工程１０が行われる。この停止処理工程Ｓ１０では、酸化手段３，ポンプ４および各弁２，６，１３への通電を停止する。なお、Ｓ９の判断は、給水工程Ｓ３，循環処理工程Ｓ５および送水工程Ｓ７の途中でも行っている。
【００５９】
以上の如く構成される実施例１によれば、有機物濃度センサ１７により検出される有機物濃度が設定値以下となると、循環処理工程４を終了して、送水工程Ｓ７へ移行するので、被処理水の水質が悪化したり、紫外線照射装置１０の性能が低下しても、処理水タンク８へ送水する処理水の水質を設定値に維持することができる。また、被処理水を循環処理
しているので、酸化手段３の容量を最小化することができる。
【００６０】
また、この実施例１によれば、給水工程Ｓ３，循環処理工程Ｓ５および送水工程Ｓ７中、紫外線照射装置１０を構成する紫外線ランプが連続的に運転されるので、紫外線ランプの寿命を長くすることができる。
【００６１】
また、送水工程Ｓ７時において、処理水タンク８へ送水される処理水が酸化手段３による酸化作用を受けるので、循環処理工程Ｓ５終了時の水質より高い水質の処理水を処理水タンク８へ供給することができる。
【実施例２】
【００６２】
つぎに、この発明の水処理装置の実施例２を図面に基づいて詳細に説明する。図６は、同実施例２の概略構成を説明する図であり、図７は、同実施例２の給水工程Ｓ３を説明する図であり、図８は、同実施例２の循環処理工程Ｓ５を説明する図であり、図９は、同実施例２の送水工程Ｓ７を説明する図である。図７〜図９において、黒く塗りつぶしている弁は閉じ、黒く塗りつぶしていない弁は開いていることを表している。以下の実施例２の説明において、実施例１と異なる構成を中心に説明し、同じ構成は、同じ符号を付してその説明を省略する。
【００６３】
この実施例２において、水処理回路の構成に関して実施例1の図１と異なるのは、図６に示すように、酸化手段１が、被処理水を循環タンク３へ供給する被処理水供給路１２に配置され、循環路５が、被処理水供給路１２の一部を含むことにより酸化手段１を含むように構成されている点である。そして、給水工程Ｓ３時、被処理水が酸化手段１による酸化作用を受けながら循環タンク３へ送水されるように構成している点である。
【００６４】
すなわち、酸化手段１，循環タンク３，ポンプ４，第一弁２の順で循環路５を形成するとともに、酸化手段１は、被処理水供給路１２兼循環路５となる箇所に配置される。また、ポンプ４を含む循環路５の一部が送水路７を兼用している。
【００６５】
制御器１８による制御手順は、基本的には、図２に示す通りであるが、実施例１においては、前述のように、給水工程Ｓ３の途中で循環処理工程を開始している。これに対して、この実施例２においては、給水工程Ｓ３の途中で循環処理工程Ｓ５を開始せず、給水工程Ｓ３が終了した後、循環処理工程Ｓ５を開始する点で異なっている。給水工程Ｓ３の途中で循環処理工程を開始しないのは、給水工程Ｓ３の途中で、第一弁２を開き、ポンプ４を作動させると、被処理水タンク１１から循環タンク３への給水が妨げられるからである。
【００６６】
この実施例２によれば、給水工程Ｓ３時において、循環タンク３へ送水される被処理水が酸化手段１により酸化処理されるので、給水工程時に被処理水を酸化処理しない装置と比較して被処理水を短時間で所定の処理水水質とすることができる。その他の作用および効果は実施例１と同様であるので、その説明を省略する。
【符号の説明】
【００６７】
１  酸化手段
３  循環タンク
４  ポンプ
５  循環路
８  処理水タンク
９  酸化剤供給装置
１０  紫外線照射手段
１７  有機物濃度センサ（センサ）
１８  制御器（制御手段）
【図１】
2011121026.tif 000003
【図２】
2011121026.tif 000004
【図３】
2011121026.tif 000005
【図４】
2011121026.tif 000006
【図５】
2011121026.tif 000007
【図６】
2011121026.tif 000008
【図７】
2011121026.tif 000009
【図８】
2011121026.tif 000010
【図９】
2011121026.tif 000011